(57)【要約】      （修正有）【課題】左右移動を行うマッサージ装置を提供する。【解決手段】動力源、伝動装置、複数の左右移動装置を含む。左右移動装置には単方向軸受を設け、逆転の時、偏心カムの回転なしに定点伝動を行う。動力源から出力される動力は、伝動装置を経て正転で左右移動装置に伝達されると、左右移動装置が左右に移動しながら回転してマッサージを行う。また、逆転で左右移動装置に伝達されると定点で回転してマッサージを行う。【選択図】図２
0003180855.tif 000002
【実用新案登録請求の範囲】
【請求項１】
左右移動を行うマッサージ装置であって、
前記第１モーターの回転心軸に第１歯車を固定し、前記第１歯車により回転のための動力を伝達して、正転または逆転する第１モーターを動力源とする動力源と、
少なくとも１つの左右移動装置を含み、前記左右移動装置に単方向軸受を設け、前記動力源から出力される動力が、前記伝動装置を経て前記左右移動装置に伝達され、前記単方向軸受が回転方向変更時に定点回転によるマッサージか左右移動および回転によるマッサージをコントロールすることができるようにし、これに基いて前記左右移動装置に単方向軸受を設け、逆転の時、前記偏心カムの回転なしに定点伝動を行い、前記動力源から出力される動力が前記伝動装置を経て正転で前記左右移動装置に伝達されると、前記左右移動装置が左右に移動しながら回転してマッサージを行い、また逆転で前記左右移動装置に伝達されると、定点で回転してマッサージを行うことを特徴とする、左右移動を行うマッサージ装置。
【請求項２】
前記台座の下方に前記台座を固定するための底ケースを設けた左右移動を行うマッサージ装置であって、第１回転軸を含み、前記第１回転軸に第２歯車を設けて前記第１モーターの前記第１歯車とかみ合わせて動かし、前記第２歯車一体の第３歯車の伝動により第２回転軸に設けられた第５、６歯車を減速させ、前記第２回転軸の第６歯車とかみ合わせることにより前記第１回転軸の第７歯車を動かし、前記第７歯車一体の第８歯車とかみ合わせることにより前記第２回転軸の第４歯車を動かし、これにより必要な速度を減速させて前記第２回転軸を回転させるようにした回転装置を構成していることを特徴とする、請求項１に記載の左右移動を行うマッサージ装置。
【請求項３】
長管状の軸カバーを含み、前記軸カバーの非円形の内孔を対応する非円形の第２回転軸と相互にスライドさせることにより、左右移動時でも第２回転軸から前記軸カバーへの動力伝達に影響せず、また前記軸カバー末端にマッサージボールセットを作動させる第９歯車動かす傘歯車を設け、また前記第９歯車と第１０歯車をかみ合せて動かし、さらに前記第１０歯車と第１１歯車をかみ合せて動かし、また前記第１１歯車の内孔に設けた単方向軸受の内孔に偏心カムと回転軸があり、前記偏心カムと軸心を台座前後の楕円形孔内のみに限定して設けることで、左右移動にともなって前記偏心カムがスムーズに回転するようにした左右移動装置を含むことを特徴とする、請求項２に記載の左右移動を行うマッサージ装置。
【請求項４】
前記伝動装置の左右両側に前記左右移動装置をそれぞれ１つずつ設けた場合、前記伝動装置の伝動時に両方が作動または両方が接近することを特徴とする請求項３に記載の左右移動を行うマッサージ装置。
【請求項５】
前記台座の下方に前記台座を固定するための底ケースを設けたことを特徴とする請求項１に記載の左右移動を行うマッサージ装置。
【請求項６】
前記台座の上方及び前記動力源、前記伝動装置、前記左右移動装置の上を上部ケース及び上部フレームで固定し、前記上部ケース及び前記上部フレームにより前記動力源、前記伝動装置、前記左右移動装置、前記左右移動装置を保護することを特徴とする請求項１に記載の左右移動を行うマッサージ装置。
【請求項７】
前記マッサージ装置の前方に、第２モーター及び前記第２モーターのウォームで動く第１２歯車を含む前後移動走行装置を設け、第１３歯車と前記第１２歯車をかみ合わせて動かし、第１４歯車と前記第１３歯車をかみ合わせて動かし、前記第１４歯車とラックをかみ合わせ、前記ラックを前記底ケースに固定し、前記台座の前後移動の制限のために第１検出器スイッチ及び第２検出器スイッチを設ける。前記前後移動走行装置は、前記マッサージ装置を前記ラックの方向に移動させ、垂直に取り付ければ昇降し、水平に取り付ければ水平に移動することを特徴とする請求項５に記載の左右移動を行うマッサージ装置。
【請求項８】
前記マッサージ装置をクッション内部に取り付けて、前記クッションをマッサージクッションとして使用することができることを特徴とする請求項１に記載の左右移動を行うマッサージ装置。
【請求項９】
前記マッサージ装置を背部クッション内部に取り付けて、前記背部クッションを背部マッサージクッションとして使用することができることを特徴とする請求項１に記載の左右移動を行うマッサージ装置。
【請求項１０】
前記マッサージ装置をマッサージ椅子のクッション位置内部または背部クッション位置内部に取り付けて、前記マッサージ椅子にマッサージ機能を持たせたことを特徴とする請求項１に記載の左右移動を行うマッサージ装置。
【考案の詳細な説明】
【技術分野】
【０００１】
本考案は、マッサージ機の技術分野に関し、特に技術上、伝動する回転方向を変更することにより、楽にマッサージの方法を変更することができることを特徴とする左右移動を行うマッサージ装置を提供する。
【背景技術】
【０００２】
人体の構造は大変複雑であり、骨、血、肉以外に、非常に重要な筋絡、穴位、関節などがあるが、日常生活において完全に活動させることが難しく、局部の過度な運動により痛みを引き起こすおそれがあるほか、長期間活動していない部分に血路の不順や閉塞などが発生するおそれもある。時々全身マッサージすることは、長期間活動していない部分を少しでも活動させ、過度な運動による局部の痛みを緩和して、身体の健康維持に役立つ。
【０００３】
マッサージは人手とマッサージ機によって行うことができるが、人力によるマッサージはマッサージ人員と時間と場所を約束する必要があるうえ、費用も高く、時間制限があるなど、不便な点がある。また、従来のマッサージ機でマッサージを行うと、マッサージ方法が簡易すぎるため、全身に使用することができなかったり、人手と組み合わせて行う必要があり、労力を浪費するだけでなく、一人の痛みの緩和により他者に痛みが発生することになる。
【０００４】
そこで、上記の従来の構造に存在する問題点を克服する実用性の高い新構造の開発が大きく期待されており、関連業者にとっても新製品開発の目標と方向になっている。
よって、考案者は長年関連製品の製造、開発と設計に従事した経験をもって、上記の目標について、詳細な設計と慎重な評価を行った後、実用性を有する本考案を提供する。
【考案の概要】
【考案が解決しようとする課題】
【０００５】
本考案のおもな目的は左右移動を行うマッサージ装置を提供することである。前記マッサージ装置の動力源により、正転の時、左右移動装置を左右に移動させ、同時に左右に移動させながら回転してマッサージを行う。前記マッサージ装置の動力源により、逆転の時、前記左右移動装置を定点で回転させてマッサージを行う。
【課題を解決するための手段】
【０００６】
上記目的を達成するために、本考案は、動力源、伝動装置、複数の左右移動装置で左右移動を行うマッサージ装置を構成している。前記左右移動装置には単方向軸受を設け、逆転の時、偏心カムの回転なしに定点伝動を行う。前記動力源から出力される動力は、前記伝動装置を経て正転で前記左右移動装置に伝達されると、前記左右移動装置が左右に移動しながら回転してマッサージを行い、また逆転で前記左右移動装置に伝達されると、定点で回転してマッサージを行うようにした。
【０００７】
上記目的を達成するために、本考案は回転心軸に第１歯車を固定し、前記第１歯車により回転のための動力を伝達して、正転または逆転する第１モーターを動力源として、左右移動を行うマッサージ装置を構成している。
【０００８】
上記目的を達成するために、本考案は第１回転軸を含み、前記第１回転軸に第２歯車を設けて前記第１モーターの前記第１歯車とかみ合わせて動かし、前記第２歯車一体の第３歯車の伝動により第２回転軸に設けられた第５、６歯車を減速させ、前記第２回転軸の第６歯車とかみ合わせることにより前記第１回転軸の第７歯車を動かし、前記第７歯車一体の第８歯車とかみ合わせることにより前記第２回転軸の第４歯車を動かし、これにより必要な速度を減速させて前記第２回転軸を回転させるようにして左右移動を行うマッサージ装置を構成している。
【０００９】
上記の目的を達成するために、本考案は、長管状の軸カバーを含み、前記軸カバーの非円形の内孔を対応する非円形の第２回転軸と相互にスライドさせることにより、左右移動時でも第２回転軸から前記軸カバーへの動力伝達に影響せず、また前記軸カバー末端にマッサージボールセットを作動させる第９歯車を動かす傘歯車を設け、また前記第９歯車と第１０歯車をかみ合わせて動かし、さらに前記第１０歯車と第１１歯車をかみ合わせて動かし、また前記第１１歯車の内孔に設けた単方向軸受の内孔に偏心カムと回転軸があり、前記偏心カムと軸心を台座前後の楕円形孔内のみに限定して設けることで、左右移動にともなって前記偏心カムがスムーズに回転するようにし、前記単方向軸受が回転方向変更時に定点回転によるマッサージか左右移動及び回転によるマッサージをコントロールすることができるようにした左右移動装置で、左右移動を行うマッサージ装置を構成している。
【００１０】
本考案に採用した技術、手段及びその効果に関して、本考案の上記の目的、構造、特徴をよりよく理解できるように、最良の実施例を、図式を組み合わせて詳細に説明する。
【図面の簡単な説明】
【００１１】
【図１】本考案実施例を示す立体分解概略図。
【図２】本考案実施例の一部を示す立体分解概略図。
【図３】本考案の左右移動装置の移動状態を示す概略図。
【図４】本考案のクッションへの実施を示す概略図。
【図５】本考案の背部クッションへの実施を示す概略図。
【図６】本考案のマッサージ椅子への実施を示す概略図。
【考案を実施するための形態】
【００１２】
本考案は、左右移動を行うマッサージ装置の設計を提供する。
【００１３】
本考案の目的、特徴及び効果をよりよく理解できるように、実施例と図式により以下のとおり説明する。
【００１４】
図１、図２は本考案の左右移動を行うマッサージ装置の概略図である。前記マッサージ装置１０は動力源２０、伝動装置３０、複数の左右移動装置４０を含み、前記左右移動装置４０には単方向軸受４５を設け、逆転の時、偏心カム４８の回転なしに定点伝動を行う。前記動力源２０から出力される動力は前記伝動装置３０を経て正転で前記左右移動装置４０に伝達されると、前記左右移動装置４０が左右に移動しながら回転してマッサージを行う。また、逆転で前記左右移動装置４０に伝達されると、定点で回転してマッサージを行う。
【００１５】
図１から図７は、本考案の左右移動を行うマッサージ装置の概略図である。本考案は、回転心軸２２に第１歯車２３を固定し、前記第１歯車２３により回転のための動力を伝達して、正転または逆転する第１モーター２１を動力源２０とする。
【００１６】
また、第１回転軸３１を含み、前記第１回転軸３１に第２歯車３２を設けて前記第１モーター２１の前記第１歯車２３とかみ合わせて動かし、前記第２歯車３２一体の第３歯車３２１の伝動により第２回転軸３３に設けられた第５、６歯車３３１、３３２を減速させ、前記第２回転軸３３の第６歯車３３２とかみ合わせることにより前記第１回転軸３１の第７歯車３１１を動かし、前記第７歯車３１１一体の第８歯車３１２とかみ合わせることにより前記第２回転軸３３の第４歯車３３３を動かし、これにより必要な速度を減速させて前記第２回転軸３３を回転させるようにした回転装置を構成する。
【００１７】
長管状の軸カバー４１を含み、前記軸カバー４１の非円形の内孔４１１を対応する非円形の第２回転軸３３と相互にスライドさせることにより、左右移動時でも第２回転軸３３から前記軸カバー４１への動力伝達に影響せず、また前記軸カバー４１末端にマッサージボールセット４４を作動させる第９歯車４３を動かす傘歯車４２を設け、前記第９歯車４３と第１０歯車４６とかみ合わせ、さらに前記第１０歯車４６を第１１歯車４７とかみ合わせ、また前記第１１歯車４７の内孔に設けた単方向軸受４５の内孔に偏心カム４８と回転軸４８１があり、前記偏心カム４８と軸心４８２を台座１１前後の楕円形孔１１１内のみに限定して設けることで、左右移動にともなって前記偏心カム４８がスムーズに回転するようにし、前記単方向軸受４５が回転方向変更時に定点回転によるマッサージか左右移動及び回転によるマッサージをコントロールすることができるようにした左右移動装置４０で、左右移動を行うマッサージ装置５０を構成する。
【００１８】
前記台座１１の下方に前記台座１１を固定するための底ケース１２を設ける。
【００１９】
前記台座１１の上方及び前記動力源２０、前記伝動装置３０、前記左右移動装置４０の上は、上部ケース１３及び上部フレーム１４で固定し、前記上部ケース１３及び前記上部フレーム１４により前記動力源２０、前記伝動装置３０、左右移動装置４０を保護する。
【００２０】
前記マッサージ装置１０の前方に第２モーター５１及び前記第２モーター５１のウォーム５２で動く第１２歯車５３を含む前後移動走行装置５０を設け、第１３歯車５４と前記第１２歯車５３をかみ合わせ、第１４歯車５５と前記第１３歯車５４をかみ合わせ、前記第１４歯車５５とラック５６をかみ合わせる。そして前記ラック５６を底ケース１２に固定し、前記台座１１の前後移動の制限のために第１検出器スイッチ５7及び第２検出器スイッチ５８を設ける。前記前後移動走行装置５０は前記マッサージ装置１０を前記ラック５６の方向に移動させ、垂直に取り付ければ昇降し、水平に取り付ければ水平に移動する。
【００２１】
前記マッサージ装置１０はクッション６０内部に取り付けて、前記クッション６０をマッサージクッションとして使用することができる。
【００２２】
前記マッサージ装置１０は背部クッション６１内部に取り付けて、前記背部クッション６１を背部マッサージクッションとして使用することができる。
【００２３】
前記マッサージ装置１０はマッサージ椅子６２のクッション位置内部または背部クッション位置内部に取り付けて、前記マッサージ椅子６２にマッサージ機能を持たせることができる。
【００２４】
前記からわかるように、本考案の左右移動を行うマッサージ装置は、業界初の試みであるとともに、実用新案の条件である新規性を満たすものであり、またその全体の革新的設計は、実用新案の条件である進歩性を満たすものである。そして、そのマッサージ装置の動力源は正転により左右移動装置を左右に移動させると同時に左右に移動しながら回転させてマッサージを行う。前記マッサージ装置の動力源は逆転により左右移動装置を定点で回転させてマッサージを行うものであり、産業上の利用可能性もある。
【００２５】
前記は本考案の技術と特徴を具体的に説明する実施例である。しかし、この技術を熟知する人は本考案の精神と原則の範囲内において、本考案に対する変更と訂正を行うことができ、前記変更、訂正は、以下の特許請求の範囲に含まれるものとする。
【００２６】
以上、本考案が提供する左右移動を行うマッサージ装置は、本考案のすべての目的を達成するものであり、またその組立、構造の空間形態が同種の製品には見られず、出願公開されてもおらず、特許法の規定と一致しているので、法に基いて出願する。
【符号の説明】
【００２７】
１０      マッサージ装置
１１      台座
１１１    楕円形孔
１２      底ケース
１３      上部ケース
１４      上部フレーム
２０      動力源
２１      第１モーター
２２      回転心軸
２３      第１歯車
３０      伝動装置
３１      第１回転軸
３１１    第７歯車
３１２    第８歯車
３２      第２歯車
３２１    第３歯車
３３      第２回転軸
３３１    第５歯車
３３２    第６歯車
３３３    第４歯車
４０      左右移動装置
４１      軸カバー
４１１    内孔
４２      傘歯車
４３      第９歯車
４４      マッサージボールセット
４５      単方向軸受
４６      第１０歯車
４７      第１１歯車
４８      偏心カム
４８１    回転軸
４８２    軸心
５０      前後移動走行装置
５１      第２モーター
５２      ウォーム
５３      第１２歯車
５４      第１３歯車
５５      第１４歯車
５６      ラック
５７      第１検出器スイッチ
５８      第２検出器スイッチ
６０      クッション
６１      背部クッション
６２      マッサージ椅子
【図１】
0003180855.tif 000003
【図２】
0003180855.tif 000004
【図３】
0003180855.tif 000005
【図４】
0003180855.tif 000006
【図５】
0003180855.tif 000007
【図６】
0003180855.tif 000008
【手続補正書】
【提出日】平成24年11月6日(2012.11.6)
【手続補正１】
【補正対象書類名】実用新案登録請求の範囲
【補正対象項目名】全文
【補正方法】変更
【補正の内容】
【実用新案登録請求の範囲】
【請求項１】
左右移動を行うマッサージ装置であって、
第１モーターの回転心軸に第１歯車を固定し、前記第１歯車により回転のための動力を伝達して、正転または逆転する前記第１モーターを動力源とする動力源と、
少なくとも１つの左右移動装置を含み、前記左右移動装置に単方向軸受を設け、前記動力源から出力される動力が、伝動装置を経て前記左右移動装置に伝達され、前記単方向軸受が回転方向変更時に定点回転によるマッサージか左右移動および回転によるマッサージをコントロールすることができるようにし、これに基いて前記左右移動装置に単方向軸受を設け、逆転の時、偏心カムの回転なしに定点伝動を行い、前記動力源から出力される動力が前記伝動装置を経て正転で前記左右移動装置に伝達されると、前記左右移動装置が左右に移動しながら回転してマッサージを行い、また逆転で前記左右移動装置に伝達されると、定点で回転してマッサージを行うことを特徴とする、左右移動を行うマッサージ装置。
【請求項２】
台座の下方に前記台座を固定するための底ケースを設け、第１回転軸を含み、前記第１回転軸に第２歯車を設けて前記第１モーターの前記第１歯車とかみ合わせて動かし、前記第２歯車一体の第３歯車の伝動により第２回転軸に設けられた第５、６歯車を減速させ、前記第２回転軸の第６歯車とかみ合わせることにより前記第１回転軸の第７歯車を動かし、前記第７歯車一体の第８歯車とかみ合わせることにより前記第２回転軸の第４歯車を動かし、これにより必要な速度を減速させて前記第２回転軸を回転させるようにした回転装置を構成していることを特徴とする請求項１に記載の左右移動を行うマッサージ装置。
【請求項３】
長管状の軸カバーを含み、前記軸カバーの非円形の内孔を対応する非円形の第２回転軸と相互にスライドさせることにより、左右移動時でも第２回転軸から前記軸カバーへの動力伝達に影響せず、また前記軸カバー末端にマッサージボールセットを作動させる第９歯車動かす傘歯車を設け、また前記第９歯車と第１０歯車をかみ合せて動かし、さらに前記第１０歯車と第１１歯車をかみ合せて動かし、また前記第１１歯車の内孔に設けた単方向軸受の内孔に偏心カムと回転軸があり、前記偏心カムと軸心を台座前後の楕円形孔内のみに限定して設けることで、左右移動にともなって前記偏心カムがスムーズに回転するようにした左右移動装置を含むことを特徴とする、請求項２に記載の左右移動を行うマッサージ装置。
【請求項４】
前記伝動装置の左右両側に前記左右移動装置をそれぞれ１つずつ設けた場合、前記伝動装置の伝動時に両方が作動または両方が接近することを特徴とする請求項３に記載の左右移動を行うマッサージ装置。
【請求項５】
台座の下方に前記台座を固定するための底ケースを設けたことを特徴とする請求項１に記載の左右移動を行うマッサージ装置。
【請求項６】
台座の上方及び前記動力源、前記伝動装置、前記左右移動装置の上を上部ケース及び上部フレームで固定し、前記上部ケース及び前記上部フレームにより前記動力源、前記伝動装置、前記左右移動装置、前記左右移動装置を保護することを特徴とする請求項１に記載の左右移動を行うマッサージ装置。
【請求項７】
前記マッサージ装置の前方に、第２モーター及び前記第２モーターのウォームで動く第１２歯車を含む前後移動走行装置を設け、第１３歯車と前記第１２歯車をかみ合わせて動かし、第１４歯車と前記第１３歯車をかみ合わせて動かし、前記第１４歯車とラックをかみ合わせ、前記ラックを前記底ケースに固定し、台座の前後移動の制限のために第１検出器スイッチ及び第２検出器スイッチを設ける。前記前後移動走行装置は、前記マッサージ装置を前記ラックの方向に移動させ、垂直に取り付ければ昇降し、水平に取り付ければ水平に移動することを特徴とする請求項５に記載の左右移動を行うマッサージ装置。
【請求項８】
前記マッサージ装置をクッション内部に取り付けて、前記クッションをマッサージクッションとして使用することができることを特徴とする請求項１に記載の左右移動を行うマッサージ装置。
【請求項９】
前記マッサージ装置を背部クッション内部に取り付けて、前記背部クッションを背部マッサージクッションとして使用することができることを特徴とする請求項１に記載の左右移動を行うマッサージ装置。
【請求項１０】
前記マッサージ装置をマッサージ椅子のクッション位置内部または背部クッション位置内部に取り付けて、前記マッサージ椅子にマッサージ機能を持たせたことを特徴とする請求項１に記載の左右移動を行うマッサージ装置。